(57)【要約】      （修正有）【課題】装着されたレンズの種類を判別し、不適切なレンズの組み合わせで誤って３Ｄ撮影を行ってしまうことを防止する撮像装置を提供する。【解決手段】表示部１０７と、レンズ１０２、１１２の着脱を行う為の二つのマウントと、２Ｄ撮影を可能とさせる為の２Ｄ撮影機能と、３Ｄ撮影を可能とさせる為の３Ｄ撮影機能と、２Ｄ撮影と３Ｄ撮影を切り替える為の撮影モード切り替え手段１１５と、レンズをマウントに着脱したことを検知するレンズ着脱検知手段と、装着されたレンズの種類を判別する為のレンズ判別手段を有する撮像装置１０１である。レンズ着脱検知手段により検知されたレンズ本数が2本未満、もしくはレンズ着脱検知手段により検知されたレンズ本数が2本、且つ、レンズ判別手段において２本のレンズが同一種では無いと判別された場合に、3Ｄ撮影に適さないことを表示部に表示する警告表示手段を有し、3Ｄ撮影の実行を禁止する。【選択図】図５
2017038241.tif 000002
【特許請求の範囲】
【請求項１】
表示部と、レンズの着脱を行う為の二つのマウントと、２Ｄ撮影を可能とさせる為の２Ｄ撮影機能と、３Ｄ撮影を可能とさせる為の３Ｄ撮影機能と、２Ｄ撮影と３Ｄ撮影を切り替える為の撮影モード切り替え手段と、レンズをマウントに着脱したことを検知するレンズ着脱検知手段と、装着されたレンズの種類を判別する為のレンズ判別手段を有する撮像装置において、前記レンズ着脱検知手段により検知されたレンズ本数が2本未満、もしくは前記レンズ着脱検知手段により検知されたレンズ本数が2本且つ、前記レンズ判別手段において２本のレンズが同一種では無いと判別された場合に、3Ｄ撮影に適さないことを前記表示部に表示する警告表示手段を有すると共に、3Ｄ撮影の実行を禁止する、３Ｄ撮影禁止手段を有することを特徴とする撮像装置。
【請求項２】
前記レンズ判別手段はレンズ種別に設定されたＩＤを読み取る機能であることを特徴とする請求項１に記載の撮像装置。
【請求項３】
前記撮像装置において更に、前記レンズ判別手段により、同一レンズが装着されていると判定された際に、自動的に3Ｄ撮影モードに移行する３Ｄ撮影切り替え手段を有し、また前記３Ｄ撮影禁止手段は、自動的に２Ｄ撮影モードに移行する２Ｄ撮影切り替え手段であることを特徴とする請求項１又は請求項２に記載の撮像装置。
【請求項４】
前記撮像装置は更に本体に対して着脱を行ったレンズのＩＤ履歴を記憶する為の記憶手段を有し、前記表示部には前記警告表示とともに、それぞれのマウントに装着されたレンズＩＤの履歴が分割表示されることを特徴とする請求項１乃至請求項３の何れか一項に記載の撮像装置。
【発明の詳細な説明】
【技術分野】
【０００１】
本発明は、３次元映像の撮影が可能な撮像装置の制御に関する。
【背景技術】
【０００２】
近年、従来の２次元映像（以下２Ｄ）動画撮影だけではなく３次元動画映像（以下３Ｄ）撮影が可能な撮像装置として、撮像手段を２個並列に並べたビデオカメラが提案されている（特許文献１参照）。
【先行技術文献】
【特許文献】
【０００３】
【特許文献１】特開２０１０−５６８６５号公報
【発明の概要】
【発明が解決しようとする課題】
【０００４】
２眼マウント式の撮像装置において3D撮影を行う場合、撮影に使用する2本のレンズは、お互いに光学性能が一致したレンズである必要がある。しかしながら、２眼マウント式の撮像装置においては、種類の異なる２本のレンズを装着することが可能である為、現在装着している2本のレンズが同一でないにも関わらず、誤ってそのまま３Ｄ撮影を行ってしまうケースが考えられる。また、レンズが２本装着されていない状態で、使用者が誤って３Ｄ撮影モードにしてしまい、気づかず撮影を行ってしまうことも懸念される。
【０００５】
本発明は、３Ｄ撮影モード時にレンズの装着状態が3Ｄ撮影に対して適切かどうかを判別し、不適切なレンズ装着状態で誤って３Ｄ撮影を行ってしまうことの無い撮像装置を提供することを目的とする。
【課題を解決するための手段】
【０００６】
上記の目的を達成するために、本発明に係る撮像装置は、
表示部と、レンズの着脱を行う為の二つのマウントと、２Ｄ撮影を可能とさせる為の２Ｄ撮影機能と、３Ｄ撮影を可能とさせる為の３Ｄ撮影機能と、２Ｄ撮影と３Ｄ撮影を切り替える為の撮影モード切り替え手段と、レンズをマウントに着脱したことを検知するレンズ着脱検知手段と、装着されたレンズの種類を判別する為のレンズ判別手段を有する撮像装置において、前記レンズ着脱検知手段により検知されたレンズ本数が2本未満、もしくは前記レンズ着脱検知手段により検知されたレンズ本数が2本且つ、前記レンズ判別手段において２本のレンズが同一種では無いと判別された場合に、3Ｄ撮影に適さないことを前記表示部に表示する警告表示手段を有すると共に、3Ｄ撮影の実行を禁止する、３Ｄ撮影禁止手段を有することを特徴とする。
さらに、前記レンズ判別手段はレンズ種別に設定されたＩＤを読み取る機能を有することを特徴とす。
【０００７】
さらに、本発明に係る撮像装置は、本体に対して着脱を行ったレンズのＩＤ履歴を記憶する為の記憶手段を有し、前記表示部には前記警告表示とともに、それぞれのマウントに装着されたレンズＩＤの履歴を分割表示することを特徴とする。
【発明の効果】
【０００８】
本発明に係る撮像装置によれば、装着されたレンズの種類を判別し、3Ｄ撮影に対して適切かどうかを撮影者に知らせ、不適切なレンズの組み合わせで誤って３Ｄ撮影を行ってしまうことを防止することができる。
【図面の簡単な説明】
【０００９】
【図１ａ】本発明の撮像装置の外観斜視図
【図１ｂ】本発明の撮像装置の外観斜視図
【図１ｃ】本発明の撮像装置の外観斜視図
【図１ｄ】本発明の撮像装置の外観斜視図
【図２】本発明のシステムブロック図
【図３】本発明のフローチャート図
【図４】本発明の表示部の表示例を示した図
【図５】本発明の撮像装置の外観斜視図
【図６】本発明の実施例２の撮像装置の外観斜視図
【図７】本発明の実施例２における、サブウィンドウの拡大図
【図８】本発明の実施例２のシステムブロック図
【図９】本発明の実施例２のフローチャート図
【発明を実施するための形態】
【００１０】
以下、本発明の効果的な実施例についての詳細な説明を行う。まず本発明の撮像装置の構成について説明する。
＜第１の実施形態＞
【００１１】
図１a、図１b、図１c、図１dは本実施例における撮像装置１０１の外観斜視図であり、図１a、図１cはレンズ装着状態を、また図１b、図１dはレンズ非装着状態をそれぞれ表している。図１a  座標軸に示すｘ軸が本体の左右方向を示し、本体の紙面手前側を右側面、紙面奥側を左側面と定義する。図１a  座標軸に示すｚ軸が本体の前後方向を示し、本体の紙面手前側を前面、紙面奥側を後面と定義する。図１a  座標軸に示すｙ軸が本体の上下方向を示し、本体の紙面上側を上面、紙面下側を下面と定義する。
【００１２】
撮像装置１０１の外観について説明する。撮像装置１０１は一般的な１眼レフカメラと同様にレンズ１０２と本体１０３が着脱可能に構成されている。レンズ１０２と本体１０３を接合する部分を、以下マウントと称して説明する。撮像装置１０１は第１のマウント１０４と第２のマウント１０５の２つを備え、それぞれのマウントに１本のレンズが着脱可能である。
【００１３】
以下の説明で用いるレンズ１０２は第１のマウント１０４に取り付けられるものを指し、第２のマウント１０５に取り付けられるレンズはレンズ１１２として区別する。第１のレンズ１０２にはレンズ操作部材１１３、第２のレンズ１１２にはレンズ操作部材１１４がそれぞれ設けられている。
【００１４】
第１のマウント１０４と第２のマウント１０５は、一般的な一眼レフカメラのマウントと同様に、レンズを挿入した後に回転動作で係合爪が係合し、ロックピンがレンズの凹みに係合することでロックを行う、いわゆるバヨネット方式でレンズの着脱を行う。尚、バヨネット方式は一般的で有る為、詳細については割愛する。１１６、１１７はマウント１０４とマウント１０５の内側に設けられた接点ピンであり、レンズ１０２、レンズ１１２を本体１０３に装着した際、レンズ１０２、レンズ１１２に設けられた、図示しない電気接点と接触して、本体１０３とレンズ１０２、レンズ１１２の通信を行うことが出来るようにする為のものである。
【００１５】
また、本体１０３上面にはハンドル部材１０６及び表示部１０７が取り付けられている。表示部１０７には、撮影時のスルー画像や再生画像を表示する表示画面が備わるとともに、操作部１０８が備えられている。本体１０３とは図示しない接続ケーブルを用いて接続を行う。操作部１０８は撮像装置１０１の撮影や再生操作、設定操作を行うことが可能である。
【００１６】
本体後部には外部電源手段であるバッテリ１０９が接続されている。また、図示しない電源端子から電力を供給することも可能である。本体左側面にはグリップ部１１０が形成され、グリップ部１１０には操作部材１１１が配置されている。また、１１５は2D/3D切り替え釦であり、撮影者はこのスイッチにより、２Ｄ撮影モードと３Ｄ撮影モードを切り替えることが出来る。
【００１７】
次に、上述した撮像装置を用いた本発明のシステムに関して、説明する。図２に本発明のシステムブロック図を示す。本体２０１は接点ピン２０６、２０７とレンズ２０２、レンズ２０３の電気接点２０４、２０５が接触して導通することによって、レンズ２０２、２０３の装着を検知することができる。本体２０１の制御部２０８は、レンズ２０２、２０３の装着を検知すると同時に、レンズメモリ２１３、２１４よりレンズ情報を読み出し、メモリ２０９に格納する。
【００１８】
尚、ここで言うレンズ情報とは、レンズの種類に応じて設定されたＩＤ番号（以下ＩＤ）であり、光学性能が同じレンズはＩＤも同一である。電源釦２１２によって本体２０１が駆動された時の撮影モードが３Ｄモードのとき、もしくは、電源釦２１２によって本体２０１が駆動された時の撮影モードが２Ｄモードで、その後2D/3D切り替え釦２１０によって３Ｄ撮影モードに切り替わった時、メモリ２０９に格納されたレンズ情報に応じて、現在のレンズ装着状態が3Ｄ撮影に対して不適切であると判断された場合には、表示部２１１にエラーメッセージが表示され、録画釦２１５による撮影操作を受け付けなくなる。図３に上述のシステムに沿ったフローチャートを示す。
【００１９】
まず本体の電源を入れると（Ｓ３０２）、本体制御部が接点部を通じて、本体に装着されているレンズのレンズＩＤを取得する（Ｓ３０３）。次に、本体の撮影モードが２Ｄモードか３Ｄモードかを判別する（Ｓ３０４）。この時、本体の撮影モードが２Ｄモードであれば、レンズの装着状態に関わらず、そのまま撮影可能となる（Ｄ３０５）。本体の撮影モードが３Ｄモードと判別された時、もしくは、本体の撮影モードを２Ｄから３Ｄに切り替えた時（Ｓ３０６）、制御部２０８はメモリ２０９に格納されたレンズＩＤ情報により、以下の事を判別する。
【００２０】
すなわち、本体に装着されているレンズ本数は2本か、もしくは0ないし１本か（Ｓ３０７）ということと、本体に装着されているレンズ本数が２本の場合、レンズＩＤが同一かどうか(Ｓ３０８）ということである。そして、本体にレンズが２本装着されていない、もしくは装着された２本のレンズのＩＤが同一で無い場合、表示部にはエラーが表示される（Ｓ３０９）。
【００２１】
図４(a)〜(f)は上述のエラー表示の表示例を示している。表示部１０７に対して左側に、図１aにおけるマウント１０５側に装着するレンズ１１２のＩＤが表示される表示枠４０２が、右側に図１におけるマウント１０４側に装着するレンズ１０２のＩＤが表示される表示枠４０３がそれぞれ表示されている。つまり、図５で示すように、表示部１０７に表示された、表示枠４０２、４０３とレンズ１１２、１０２の左右の配置関係は一致しており、撮影者は直感的にどちらの表示枠がどちらのレンズに対応するかが分かるようになっている。但し、レンズが装着されていない場合は、対応する側の表示枠には「…」と表示される。
【００２２】
例えば、図４（a）においては、レンズ１０２が装着されていない状態を表している。「…」表示側のマウントにレンズを装着すると、本体が新たに取得したレンズＩＤに従って、その部分の表示が装着したレンズのＩＤに書き替わる（図４(b)）。そして、レンズが２本装着されている状態で、両者のレンズＩＤが異なる場合、「同じＩＤのレンズに交換して下さい」というエラーメッセージが表示される。図４(b)では、レンズ１１２とレンズ１０２のＩＤが異なる為、表示面にエラーが表示されている。レンズを交換すると（Ｓ３１０）、制御部２０８が再度レンズのＩＤ情報を取得し、メモリに情報を格納する（Ｓ３１１）。
【００２３】
図４(c)はレンズ１０２を交換した際の表示例である。新たに取得したレンズＩＤは、対応する表示枠の中で、直前に装着していたレンズのＩＤの上に追加される形で表示される。つまり、表示枠内で最も上に表示されるＩＤが、現在装着中のレンズのＩＤであり、下の段にいくに従って、履歴的に過去の装着レンズのＩＤとなっている。また、現在装着しているレンズのＩＤは履歴表示された他のＩＤと比較して大きく表示されている為、使用者はより現在装着中のレンズのＩＤが比較しやすくなっている。
【００２４】
マウント１０４、１０５（図１b）に装着されたレンズのＩＤが一致すると、図４(e)に示すようにＩＤがハイライトされ、それとともに「３Ｄ撮影ＯＫ！」のメッセージが一定時間表示された後、表示が消え、3D撮影が可能となる（３１２）。
【００２５】
また、レンズ交換をした際に、現在装着している２本のレンズＩＤは同一ではないが、過去の装着履歴を遡ってＩＤが一致しているレンズの組み合わせがあった場合、その一致しているレンズのＩＤがハイライトされる（図４(f)）。これにより、撮影者は簡単に同一ＩＤをもったレンズの組み合わせに気づくことができる。
【００２６】
以上、本発明に依れば、レンズが２本装着されていない状態や、装着している2本のレンズが同一でないといった、不適切なレンズ装着状態で誤って３Ｄ撮影を行ってしまうことを防止することができる。
【００２７】
＜第２の実施形態＞
次に、本発明の第二の実施例に関して説明する。図６に、撮像装置６０１の外観斜視図を示す。第一の実施例と異なる点は、図１における2D/3D切り替え釦115及び図５における表示枠４０２、４０３が無く、代わりに表示部６０７内に、サブウィンドウ６１０があることである。
【００２８】
図７(a)、図７(b)は、上記サブウィンドウ６１０の拡大図である。サブウィンドウ６１０には、実施例１と同様、対応するマウントに装着されたレンズのＩＤを表示する表示枠７０１、７０２と、現在の撮影モードが何であるかを示す、撮影モード表示７０３が表示されている。図８、図９はそれぞれ実施例２のシステムブロック図とフローチャートを示したものである。実施例１と同様、まず本体の電源を入れると（Ｓ９０２）、本体８０１がレンズメモリ８１３、８１４よりレンズＩＤを読み出し、制御部８０８を通じてメモリ８０９へと格納される。（Ｓ９０３）。
【００２９】
次に、制御部８０８はメモリ８０９に格納されたレンズＩＤ情報により、以下の事を判別する。すなわち、本体に装着されているレンズ本数が2本か、もしくは0ないし１本か（Ｓ９０４）ということと、本体に装着されているレンズ本数が２本の場合、レンズＩＤが同一かどうか(Ｓ９０５）ということである。そして、本体に装着されているレンズ本数が２本且つ、両方のレンズＩＤが同一で有る場合は、本体の撮影モードは自動的に３Ｄ撮影モードに設定される（Ｓ９０９）。
【００３０】
また、本体にレンズが２本装着されていない、もしくは装着された２本のレンズのＩＤが同一で無い場合、本体の撮影モードは自動的に２Ｄ撮影モードに設定される（Ｓ９０６）。この状態において、新たにレンズの装着及び交換を行うと、本体制御部８０８は再びレンズＩＤを取得し（Ｓ９０８）、再度本体に装着しているレンズの本数と、レンズＩＤの照合を行う。その結果に応じて、本体８０１の撮影モードは2D及び3Dのうち、適切な方が再選択される。
【００３１】
逆に、本体８０１の撮影モードが３Ｄ撮影モードの時に、レンズの取り外し/交換が行われた時も（Ｓ９１０）新たに取得されたレンズＩＤによる照合が行われ、その結果に応じて、本体８０１の撮影モードは2D及び3Dのうち、適切な方が再選択される。
【００３２】
以上、本発明の実施例２に依れば、不適切なレンズ装着状態で誤って３Ｄ撮影を行ってしまうことを防止することだけでなく、その時のレンズ状態によって自動的に2D/3D撮影を切り替えることが出来る為、より撮影時の利便性を高めることができる。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３４】
１０１  撮像装置、１０２  第１のレンズ、１０３  本体、１０４  第１のマウント、
１０５  第２のマウント、１０６  ハンドル部材、１０７  表示部、１０８  操作部、
１０９  バッテリ、１１０  グリップ部、１１１  操作部材、１１２  第２のレンズ、
１１３  操作部、１１４  操作部、１１５  切り替え釦、１１６  接点ピン、
１１７  接点ピン、２０１  本体、２０２  レンズ、２０３  レンズ、４０２  表示枠、
６１０  サブウィンドウ、７０３  2D/3Dモード表示
【図１ａ】
2017038241.tif 000003
【図１ｂ】
2017038241.tif 000004
【図１ｃ】
2017038241.tif 000005
【図１ｄ】
2017038241.tif 000006
【図２】
2017038241.tif 000007
【図３】
2017038241.tif 000008
【図４】
2017038241.tif 000009
【図５】
2017038241.tif 000010
【図６】
2017038241.tif 000011
【図７】
2017038241.tif 000012
【図８】
2017038241.tif 000013
【図９】
2017038241.tif 000014